(57)【要約】【課題】  画像形成装置において、受信したジョブの処理が一旦開始された場合には、ジョブの設定情報の変更は不可能で、変更するためには一度該当ジョブをキャンセルして、新規に設定情報を変更したジョブを再送信するしかなかったという問題点があった。【解決手段】  本発明の画像形成装置では、実行中のジョブの停止要求を受け付けて、停止されたジョブのジョブ情報及び進行状況に基づいて、設定変更可能な項目を抽出し、該設定変更可能なジョブ情報を変更してジョブを再開させるために、一旦処理が開始したジョブであってもジョブのキャンセル及び再送信を行わなくともジョブの設定変更が可能となった。【選択図】図１
2009125991.tif 000002
【特許請求の範囲】
【請求項１】
ジョブを受け付けるジョブ受信部と、
前記受け付けたジョブの情報を解析するジョブ情報解析部と、
前記解析されたジョブの画像データを印刷出力用に変換処理する画像処理部と、
前記画像処理部で変換された印刷出力用データを印刷処理する印刷出力部と、を有する画像形成装置であって、
ユーザからの指示により、前記画像処理部の前記変換処理と前記印刷出力部の前記印刷処理との少なくとも一方を停止させるジョブ停止要求部と、
前記ジョブ停止要求部が前記停止を行ったとき変更可能なジョブ情報を解析し出力する変更可能ジョブ情報解析出力部と、
前記変更可能ジョブ情報解析出力部で出力された前記変更可能なジョブ情報を表示する表示部と、
前記ユーザからの指示により前記ジョブ情報の変更を受け付けるユーザ入力部と、
前記ユーザ入力部で変更された前記ジョブ情報を設定する変更ジョブ情報設定部と、
前記変更ジョブ情報設定部での設定に基づき、前記画像処理部の前記変換処理と前記印刷出力部の印刷処理との少なくとも一方を再開させるジョブ再開実行部と、を有する
ことを特徴とする画像形成装置。
【請求項２】
請求項１の画像形成装置であって、
前記変更可能ジョブ情報解析出力部は、前記画像処理部の画像処理と前記印刷出力部の印刷処理とのうちの少なくとも一方での処理状況に基づいて、前記ジョブの変更可能なジョブ情報を解析する
ことを特徴とする画像形成装置。
【請求項３】
請求項１または２の画像形成装置であって、
画像の読取処理を行う画像読取部を有し、
前記ジョブ停止要求部は、前記画像読取部の読取処理を停止させ、
前記ジョブ再開実行部は、前記画像読取部の読取処理を再開させる
ことを特徴とする画像形成装置。
【請求項４】
請求項３の画像形成装置であって、
前記変更可能ジョブ情報解析出力部は、前記画像読取部の読取処理状況に基づいて、前記変更可能なジョブ情報を解析する
ことを特徴とする画像形成装置。
【請求項５】
請求項１から４のいずれかの画像形成装置であって、
後処理を行う後処理部を有し、
前記ジョブ停止要求部は、前記後処理部の後処理を停止させ、
前記ジョブ再開実行部は、前記後処理部の後処理を再開させる
ことを特徴とする画像形成装置。
【請求項６】
請求項５の画像形成装置であって、
前記変更可能ジョブ情報解析出力部は、前記後処理部の後処理状況に基づいて、前記変更可能なジョブ情報を解析する
ことを特徴とする画像形成装置。
【請求項７】
請求項１から６のいずれかの画像形成装置であって、
前記変更可能ジョブ情報解析出力部は、前記変更可能なジョブ情報の変更可能な範囲を出力し、
前記表示部は、前記変更可能ジョブ情報解析出力部が出力した前記変更可能な範囲を表示する
ことを特徴とする画像形成装置。
【発明の詳細な説明】
【技術分野】
【０００１】
画像形成装置において、処理が開始されてしまったジョブの設定情報を変更可能とする技術に関するものである。
【背景技術】
【０００２】
画像形成装置（ＭＦＰ（複合機）、プリンタ）において、ユーザによってクライアントＰＣ（Personal Computer）などから画像形成装置へ送信されたジョブデータは、一度ジョブデータを送信してしまうとジョブのキャンセルは可能であっても、そのジョブ情報（出力原稿サイズや、出力部数や、後処理などの設定情報）の変更を行うことはできなかった。したがってユーザがジョブ情報の変更を行いたい際には、クライアントＰＣ上ないしは画像形成装置のフロントパネルなどから明示的に送信したジョブデータのキャンセル要求を行って、一旦ジョブをキャンセルして、再度ユーザがクライアントＰＣから新しく設定したジョブ情報のジョブデータを送信する必要があった。
【０００３】
従来技術として、画像形成装置が処理中などでビジー状態にあったとしても、内部の印刷処理等に影響のないパラメータを変更可能な構成を提供する方法がある（特許文献１参照）。
【０００４】
しかし、この方法は、印刷処理に対するジョブ情報の変更ではなく、ビジー状態にある画像形成装置であっても、操作パネルから他の印刷ジョブの印刷予約等ができるだけであり、処理が進行しているジョブ情報の設定変更を行うことはできなかった。
【０００５】
【特許文献１】特開２００６−１２３４３５号公報
【発明の開示】
【発明が解決しようとする課題】
【０００６】
解決しようとする問題点は、画像形成装置においてジョブデータの処理が開始された場合には、ジョブをキャンセルして再送信すること無しにそのジョブ情報の設定を変更することはできなかった点である。
【課題を解決するための手段】
【０００７】
本発明の画像形成装置は、ジョブを受け付けるジョブ受信部と、前記受け付けたジョブの情報を解析するジョブ情報解析部と、前記解析されたジョブの画像データを印刷出力用に変換処理する画像処理部と、前記画像処理部で変換された印刷出力用データを印刷処理する印刷出力部と、を有する画像形成装置であって、ユーザからの指示により、前記画像処理部の前記変換処理と前記印刷出力部の前記印刷処理との少なくとも一方を停止させるジョブ停止要求部と、前記ジョブ停止要求部が前記停止を行ったとき変更可能なジョブ情報を解析し出力する変更可能ジョブ情報解析出力部と、前記変更可能ジョブ情報解析出力部で出力された前記変更可能なジョブ情報を表示する表示部と、前記ユーザからの指示により前記ジョブ情報の変更を受け付けるユーザ入力部と、前記ユーザ入力部で変更された前記ジョブ情報を設定する変更ジョブ情報設定部と、前記変更ジョブ情報設定部での設定に基づき、前記画像処理部の前記変換処理と前記印刷出力部の印刷処理との少なくとも一方を再開させるジョブ再開実行部と、を有することを最も主要な特徴とする。
【発明の効果】
【０００８】
本発明の画像形成装置は、ジョブを受け付けるジョブ受信部と、前記受け付けたジョブの情報を解析するジョブ情報解析部と、前記解析されたジョブの画像データを印刷出力用に変換処理する画像処理部と、前記画像処理部で変換された印刷出力用データを印刷処理する印刷出力部と、を有する画像形成装置であって、ユーザからの指示により、前記画像処理部の前記変換処理と前記印刷出力部の前記印刷処理との少なくとも一方を停止させるジョブ停止要求部と、前記ジョブ停止要求部が前記停止を行ったとき変更可能なジョブ情報を解析し出力する変更可能ジョブ情報解析出力部と、前記変更可能ジョブ情報解析出力部で出力された前記変更可能なジョブ情報を表示する表示部と、前記ユーザからの指示により前記ジョブ情報の変更を受け付けるユーザ入力部と、前記ユーザ入力部で変更された前記ジョブ情報を設定する変更ジョブ情報設定部と、前記変更ジョブ情報設定部での設定に基づき、前記画像処理部の前記変換処理と前記印刷出力部の印刷処理との少なくとも一方を再開させるジョブ再開実行部と、を有することを最も主要な特徴とするため、画像形成装置においてジョブデータの処理が開始されていても印刷出力が完了していない場合には、ジョブの実行を一旦停止してジョブ情報中の設定変更可能な項目をユーザに提示し、ユーザが前記設定項目を変更して後ジョブの再実行を行うことが可能となり、該設定変更されたジョブを実行することが可能となった。このため、ジョブを一旦キャンセルして、設定変更したジョブを再送信する必要がなくなった。
【発明を実施するための最良の形態】
【０００９】
画像形成装置において、一旦処理が開始されたジョブについてはジョブ情報の設定変更が出来ないという問題点を、ユーザのジョブ情報設定変更要求があるとジョブの実行を停止して、該停止されたジョブ情報のうちどの情報の設定変更が可能であるかを解析してユーザに提示し、ユーザが該情報の設定変更を行い、該設定変更されたジョブを再開実行することにより解決した。
【実施例１】
【００１０】
本発明の実施例としての画像形成装置について以下に説明する。
【００１１】
画像形成装置では、ジョブ情報として以下のような設定情報が含まれている。
【００１２】
（１）出力用紙サイズや用紙の指定：Ａ４用紙を選択するかＢ５用紙を選択するか、又、ＯＨＰ紙を選択するかなどの指定。
【００１３】
（２）データ書式の指定：ＰＤＦ（Portable Document Format）等の汎用データが受信された場合に、中間の画像処理を行う際のプリンタ言語書式などの指定、例えば、ポストスクリプト（登録商標）を使用するか、プリスクライブ（登録商標）を使用するかの指定。
【００１４】
（３）ジョブ名：実行されるジョブ名は一般的にファイル名や時間などから自動で設定される場合が多いが、ジョブ管理等の必要性からジョブ名をユーザ側で指定することも可能。
【００１５】
（４）部数：出力する部数の設定。
【００１６】
（５）出力方法及び出力先の指定：後処理が伴う際のパンチャーやステープラーの指定及びソータトレイへの出力を行うか、通常のトレイへの出力を行うかの指定。
【００１７】
上記のジョブ情報の設定については、受信したジョブの画像データの変更を行わずとも、ジョブ情報中の設定情報の変更だけを行うことが可能である。
【００１８】
そこで、本発明実施例の画像形成装置では、一旦処理が開始されたジョブであっても上記の設定情報の変更の要求がある場合は、該当ジョブを停止して、該当ジョブの進行状態とジョブ情報内容との解析に基づいて、変更可能な設定情報を表示部に表示してユーザの変更を可能とさせる。
【００１９】
図１に本発明実施例の画像形成装置のジョブの設定情報変更の画面例を示す。
【００２０】
図１（Ａ）は、画像形成装置において実行されているジョブ情報一覧を示す画面例９０１である。ユーザは、一覧のジョブ情報からひとつのジョブを選択して、画面右下の「一時停止」ボタンを選択することにより、選択されたジョブの停止が可能である。
【００２１】
図１（Ｂ）は、前記画面９０１において、１番目のジョブＡ＿００１．ｄｏｃが選択された際に表示されるジョブ情報の画面例９０３である。画面９０３では、ジョブＡ＿００１．ｄｏｃが、すでに２部目の出力が行われている最中であるので、ジョブ情報の設定変更が不可である旨の表示がされている。
【００２２】
図１（Ｃ）は、前記画面９０１において、２番目のジョブＡ＿００２．ｄｏｃが選択された際に表示されるジョブ情報の画面例９０５である。ジョブＡ＿００２．ｄｏｃは、現在画像処理中であるのでジョブ情報の設定変更はまだ可能である旨が表示されている。又、設定変更可能な各項目の右側にリストボックスの選択用の上下方向の三角形が表示されており、この三角形を選択することにより、他の選択肢への設定変更が可能であり、また現在表示されている文字や数値を選択して、直接値を入力して変更することも可能となっている。
【００２３】
変更後は、画面右下の「ジョブ再実行」のボタンを選択することにより設定変更されたジョブが再実行される。
【００２４】
［構成］
次に上記のジョブ情報の設定変更を可能とする画像形成装置の装置構成について以下に説明する。
【００２５】
図２は、本発明の実施例に係わる画像形成装置の機能ブロック図である。
【００２６】
画像形成装置１００は、ユーザ入力部１１１、表示部１１３、ジョブ受信部１１５、インターフェース部１１７、ジョブ管理部１２０、ジョブ情報解析部１２１、変更可能ジョブ情報解析出力部１２３、変更ジョブ情報設定部１２５、ジョブ停止要求部１２７、ジョブ再開実行部１２９、画像処理部１３１、印刷出力部１３３、画像読取部１３５、後処理部１３７の各機能ブロックを有している。
【００２７】
又、画像形成装置１００は、そのインターフェース部１１７を通して外部装置であるホストコンピュータ（ＰＣ；Personal Computer）２００と接続している。
【００２８】
ユーザ入力部１１１は、操作ボタンやタッチパネル等を有し、ユーザからの入力を受け付ける。ユーザは、ユーザ入力部１１１を通して、通常行われるジョブ情報の設定や実行の入力を行うと共に、本発明実施例の特徴であるすでに実行されているジョブの停止を指示し、又、停止されたジョブの設定情報の変更を入力する。
【００２９】
表示部１１３は、通常行われる設定情報の表示や、装置状態の表示を行うと共に、本発明実施例の特徴である、停止されたジョブのジョブ情報を表示し、そのうちどの項目が変更可能であるかを表示する。
【００３０】
ジョブ受信部１１５は、画像形成装置１００のジョブを受信する。ジョブは、インターフェース部１１７を通して外部のホストコンピュータであるＰＣ（Personal Computer）２００から受信可能である。又、ユーザ入力部１１１からのジョブ実行指示により受信することも可能である。
【００３１】
インターフェース部１１７は、画像形成装置１００とホストコンピュータ（ＰＣ）２００とを接続するインターフェースである。接続は、パラレル、シリアル、ＵＳＢ、又はネットワークインターフェースなどのいずれであっても構わない。
【００３２】
ジョブ管理部１２０は、ジョブの発生・消滅を管理する機能部である。以下にジョブ管理部１２０が有する各機能部について説明する。
【００３３】
ジョブ情報解析部１２１は、前記受信したジョブの情報を解析して画像処理部１３１、印刷出力部１３３、画像読取部１３５、後処理部１３７のうちの該当ジョブに関連した各機能部にデータ送信及び動作実行指示を行う。
【００３４】
ジョブ停止要求部１２７は、一旦実行が開始されたジョブについて、ユーザ入力部１１１からの実行停止要求に基づいて、画像処理部１３１、印刷出力部１３３、画像読取部１３５、後処理部１３７のうちの該当ジョブに関連する機能部に対してジョブの実行を停止するよう要求する。
【００３５】
変更可能ジョブ情報解析出力部１２３は、一旦停止されたジョブの進行状態を解析して、変更可能のジョブ情報を抽出して表示部１１３に渡して出力する。
【００３６】
変更ジョブ情報設定部１２５は、ユーザにより設定変更されたジョブ情報を新しく設定する。
【００３７】
ジョブ再開実行部１２９は、一旦停止されたジョブの設定情報の変更が終了し、ジョブの再開が選択された場合に、画像処理部１３１、印刷出力部１３３、画像読取部１３５、後処理部１３７のうちの該当ジョブに関連した各機能部へのジョブの再開の指示を行う。
【００３８】
画像処理部１３１は、ジョブデータ中の画像データを印刷出力部１３３での印刷出力実行可能な画像データ形式であるビットマップデータに変換する変換処理を行う。
【００３９】
印刷出力部１３３は、前記画像処理部１３１で変換された画像データの印刷処理を行う。
【００４０】
画像読取部１３５は、複写動作等を行う際に、原稿を読み取って画像データに変換する画像読取処理を行う。
【００４１】
後処理部１３７は、パンチャーや、ステープラーや、ソータなどを有し、印刷処理の終わった用紙のパンチ孔あけ処理や、ステープル処理や、ソート処理等の後処理を行う。
【００４２】
［フローチャート］
図３のフローチャートを用いて、設定変更要求のない通常の動作の流れについて説明する。
【００４３】
Ｓ１１：ジョブ受信部１１５は、ジョブデータを受信する。ジョブは、ホストコンピュータであるＰＣ（Personal Computer）２００からインターフェース部１１７を経由して受信する方法でもよいし、又画像形成装置１００本体のユーザ入力部からの入力によって受信する方法のどちらであってもよい。
【００４４】
Ｓ１３：ジョブ受信部１２０中のジョブ情報解析部１２１がＳ１１で受信したジョブの情報を解析して、ジョブ実行に必要なデータを生成する。生成されたデータは、ジョブ管理部１２０から画像処理部１３１、印刷出力部１３３、画像読取部１３５、後処理部１３７のうちの動作を必要とする機能部に送信される。
【００４５】
Ｓ１５：画像読取部１３５での読取が必要であれば画像読取が行われる。インターフェース部をとおして画像データが送信される場合等、画像読取の必要がない場合は、前記読取処理は省略される。次に画像処理部１３１での画像データの生成処理が行われる。次行程の印刷出力のために印刷出力部１３３での実行可能な画像データとなるように、ビットマップ変換処理が行われる。
【００４６】
Ｓ１７：印刷出力部１３３でのページ出力が行われて、用紙に印刷が行われる。
【００４７】
Ｓ１９：ジョブ管理部１２０では、ページ出力が行われたジョブが終了して消滅したことを記録する。
【００４８】
以上の一連の動作により、画像形成装置１００でのジョブ受信から印刷出力までの通常の動作のフローが行われる。
【００４９】
次に印刷ジョブの停止要求があってから、ジョブ情報の設定変更を行って、該設定変更されたジョブでの印刷処理が終了するまでの動作のフローについて、図４のフローチャートを用いて説明する。
【００５０】
図１（Ａ）に示す画面での一時停止ボタンを押すなどして、ジョブの停止要求が発生し図４のフローチャートの動作が開始する。
【００５１】
Ｓ３１：ジョブ停止要求部１２７は、画像処理部１３１、印刷出力部１３３、画像読取部１３５、後処理部１３７のうち該当ジョブが実行されている機能部に該ジョブの処理の実行の停止を要求する。
【００５２】
Ｓ３３：ジョブ情報解析部１２１でのジョブ情報の解析が終了したかどうかを解析する。
【００５３】
Ｓ３５：前記Ｓ３３での解析が終了している場合は、動作をＳ３９に移行する。まだ解析が終了していない場合は、動作をＳ３７に移行する。
【００５４】
Ｓ３７：ジョブ情報解析部１２１でのジョブ情報の解析が終了するまで待つ。
【００５５】
Ｓ３９：ジョブ情報解析部１２１での解析の結果、ジョブの停止が間に合うかどうかを判断する。停止が間に合わない場合は動作をＳ４１に移行する。停止が間に合う場合は、動作をＳ４３に移行する。
【００５６】
Ｓ４１：ジョブ停止が間に合わなかったので、その旨を表示部１１３で表示して（図１（Ｂ））動作を終了する。
【００５７】
Ｓ４３：ジョブ停止が間に合うので、ジョブ情報の変更入力画面を表示部１１３に表示して（図１（Ｃ））ユーザ入力部がジョブ情報の設定変更を受け付ける。
【００５８】
Ｓ４５：ジョブ情報の設定変更が終了したことをユーザ入力部での入力により受付、ジョブ再開実行部１２９が該当ジョブの再開を画像処理部１３１、印刷出力部１３３、画像読取部１３５、後処理部１３７のうち該当ジョブの処理が残っている機能部に指示する。
【００５９】
Ｓ４７：前記指示を受けた、画像処理部１３１、印刷出力部１３３、画像読取部１３５、後処理部１３７のうちの関連機能部は必要な処理を実行する。
【００６０】
Ｓ４９：印刷出力部１３３にて用紙への印刷が行われて処理を終了する。
【００６１】
以上の一連の動作により、ユーザのジョブ情報の設定変更要求があってから、設定変更されたジョブ情報により印刷出力するまでの処理が完了する。
【００６２】
［実施例の効果］
本発明実施例の画像形成装置により、以下のことが可能となった。
【００６３】
本発明の画像形成装置では、実行中のジョブの停止要求を受け付けて、該停止されたジョブのジョブ情報及び進行状況に基づいて、設定変更可能な項目を抽出し、該項目を変更してジョブを再開させるために、一旦画像形成装置において処理が開始したジョブであっても該当ジョブのキャンセル及び再送信を行わなくともジョブの設定変更が可能となった。これにより、間違って設定された設定情報のジョブを送信しても、ジョブのキャンセルや再送信などの手間及び時間をかけずに設定情報を修正して印刷を行うことが可能となった。
【００６４】
変更可能ジョブ情報解析出力部がジョブ情報の設定変更が可能な項目だけ表示するため、例えばすでに画像処理部での指定プリンタ言語での画像処理が終了している際には、同指定プリンタ言語の変更は不可であるので、変更表示がされない。
【００６５】
又、変更可能ジョブ情報解析出力部は、変更可能な範囲について選択肢として表示する。例えば１０部の部数指定での印刷を行って、実際に５部の印刷処理を終了している際にジョブの停止要求があった場合には、部数の変更の選択肢として５部以上でしか表示されない、すなわちすでに印刷が終了してしまっている１から４部の印刷部数への変更の選択肢は表示されない。
【００６６】
上記２例に示すように、ユーザに画像形成装置の処理状態を的確に把握させることが可能となった。
【００６７】
［その他］
本発明実施例では、画像読取部１３５を有し、本体装置での複写機能等に対応したが、画像読取部を有しない画像装置においても、本発明は実施可能である。例えば、ホストコンピュータから送られた画像データの印刷を行う場合には、画像読取部を有さずとも、ジョブ情報の設定変更が可能である。
【００６８】
又、同様に本発明実施例では、後処理部１３７を有し、パンチャーやステープラーなどの後処理機能に対応したが、後処理部を有しない画像装置においても、本発明は実施可能である。
【００６９】
本発明実施例では、ジョブの停止要求の入力及びジョブ情報の設定変更の入力を画像形成装置本体の操作パネルやタッチパネル等から行う例について説明したが、ユーザ入力部１１１がインターフェース部１１７をとおして外部のホストコンピュータから同操作（ジョブの停止要求及びジョブ情報の設定変更）を行うとしてもよい。
【００７０】
本発明実施例では、変更可能ジョブ情報解析出力部は、画像処理部１３１と、印刷出力部１３３、画像読取部１３５、後処理部１３７でのジョブの進行状況に基づいて、変更可能なジョブ情報を解析したが、これらのうちの少なくとも一部、又は自由な組み合わせ、又はすべてのジョブ処理の進行状況を無視して、これらのうちの少なくとも一部、又は自由な組み合わせ、又はすべての機能部での処理中のジョブについては破棄し、前記破棄されたジョブに代えて、新規に設定変更されたジョブについての処理を行う方法としても良い。
【００７１】
本発明実施例では、停止するジョブを指定して、そのジョブを停止した後、該当ジョブの変更可能項目を表示する方法について例示したが、ジョブの停止要求があると、全てのジョブについて停止を行って、それぞれのジョブの変更可能項目を表示する方法としても良い。
【図面の簡単な説明】
【００７２】
【図１】本発明実施例の画像形成装置でのジョブの停止及び設定情報の変更の表示画面例である（実施例１）。
【図２】本発明実施例の画像形成装置の機能ブロック図である（実施例１）。
【図３】本発明実施例の画像形成装置のジョブ情報の設定変更がない場合の実行のフローチャートである（実施例１）。
【図４】本発明実施例の画像形成装置のジョブ情報の変更設定要求があった場合のフローチャートである（実施例１）。
【符号の説明】
【００７３】
１００  画像形成装置
１１１  ユーザ入力部
１１３  表示部
１１５  ジョブ受信部
１１７  インターフェース部
１２０  ジョブ管理部
１２１  ジョブ情報解析部
１２３  変更可能ジョブ情報解析出力部
１２５  変更ジョブ情報設定部
１２７  ジョブ停止要求部
１２９  ジョブ再開実行部
１３１  画像処理部
１３３  印刷出力部
１３５  画像読取部
１３７  後処理部
２００  ホストコンピュータ（ＰＣ；Personal Computer）
【図１】
2009125991.tif 000003
【図２】
2009125991.tif 000004
【図３】
2009125991.tif 000005
【図４】
2009125991.tif 000006